(57)【要約】【課題】決済システムの導入にかかるコストを抑制すること。【解決手段】決済システムは、決済サーバと管理端末とを備え、前記決済サーバは、前記管理対象装置に接続される決済端末が設けられる施設を識別する施設識別情報と、決済端末識別情報と、決済サービス識別情報とが対応づけられた施設情報と、前記決済端末において行なわれる決済に関する決済端末決済情報と前記決済端末の決済端末識別情報とが対応づけられた決済情報と、前記決済端末における設定内容または前記管理対象装置における設定内容のうち少なくとも一方である設定情報と、を記憶する記憶部と、を有し、前記管理端末は、前記設定情報に基づいて前記管理対象装置の設定管理を実行する管理実行部を有する。【選択図】図６
2018169908.tif 000002
【特許請求の範囲】
【請求項１】
インターネットに接続される決済サーバと管理対象装置を管理する管理端末とを備え、
前記決済サーバは、
前記管理対象装置に接続される少なくとも１つの決済端末が設けられる施設を識別する施設識別情報と、前記決済端末を識別する決済端末識別情報と、前記施設において利用可能な決済サービスを識別する決済サービス識別情報とが対応づけられた施設情報と、
決済端末において行なわれる決済に関する情報である決済端末決済情報と前記決済端末の決済端末識別情報とが対応づけられた決済情報と、
前記決済端末における設定内容または前記管理対象装置における設定内容のうち少なくとも一方である設定情報と、
を記憶する記憶部と、
を有し、
前記管理端末は、
前記決済サーバから取得した前記設定情報に基づいて、前記決済端末または前記管理対象装置のうち少なくとも一方の設定管理を実行する管理実行部
を有する決済システム。
【請求項２】
前記管理端末は、
前記管理対象装置の設定情報の更新を要求する設定更新要求情報を生成し、前記設定更新要求情報を前記決済サーバに送信する設定更新要求部、
を備え、
前記決済サーバは、
前記設定更新要求情報に基づいて前記記憶部に記憶された前記設定情報を更新する更新部を備える
請求項１に記載の決済システム。
【請求項３】
決済用媒体を識別する決済用媒体識別情報を前記決済用媒体から読み出し、決済金額に基づく金額情報を前記決済用媒体へ書き込む決済用媒体ＲＷ部と、
前記決済金額を示す信号を管理対象装置へ送信する信号送信部と、
インターネットに接続される決済サーバから、自身の決済端末に対応した設定情報を受信した場合に設定情報を自身の記憶部に記憶させ、前記決済用媒体ＲＷ部による決済用媒体への書き込みを行なう場合に前記決済サーバに対して前記決済金額に基づく金額情報と決済端末を識別する決済端末識別情報を含む決済端末決済情報を送信する通信部と、
を備える決済端末。
【請求項４】
インターネットに接続される決済サーバのコンピュータと管理対象装置を管理する管理端末のコンピュータとによる決済方法であって、
決済サーバの記憶部が、
管理対象装置に接続される少なくとも１つの決済端末が設けられる施設を識別する施設識別情報と、前記決済端末を識別する決済端末識別情報と、前記施設において利用可能な決済サービスを識別する決済サービス識別情報とが対応づけられた施設情報と、
決済端末において行なわれる決済に関する情報である決済端末決済情報と前記決済端末の決済端末識別情報とが対応づけられた決済情報と、
前記決済端末における設定内容または前記管理対象装置における設定内容のうち少なくとも一方である設定情報と、
を記憶する記憶ステップと、
前記管理端末の管理実行部が、
前記決済サーバから取得した前記設定情報に基づいて、前記決済端末または前記管理対象装置のうち少なくとも一方の設定管理を実行する管理ステップと、
を有する決済方法。
【発明の詳細な説明】
【技術分野】
【０００１】
本発明は、電子マネーの決済を行う決済システム、決済端末、および決済方法に関する。
【背景技術】
【０００２】
従来から、商品を購入する際に、現金による支払いの他に、電子マネーによる支払いを行なうことが可能な決済システムがある。電子マネーによる決済を行なう決済システムとして、例えば、商品またはサービスを提供する電子マネー端末装置が、イントラネットを介して決済装置に接続され、このイントラネットに対しインターネットを介して決済サーバを接続した決済システムがある（例えば、特許文献１参照）。
【先行技術文献】
【特許文献】
【０００３】
【特許文献１】特開２００９−２６５９９１号公報
【発明の概要】
【発明が解決しようとする課題】
【０００４】
しかしながら、特許文献１に示す決済システムにおいては、イントラネットに決済装置が接続されるため、１つの施設内において１つの決済装置を利用することが想定されている。そのため、ユーザが、決済装置を使って、施設内の電子マネー端末装置に対して設定変更（例えば、価格変更等）を行う場合、施設毎に自施設内のイントラネットに決済装置を設ける必要がある。これにより、各施設にそれぞれ決済装置が設けられる必要があるため、導入コストが嵩む。特に、同じグループ企業に所属する複数の施設において、決済システムを導入する場合には、同じグループ企業であるにも係わらず、それぞれの施設において決済装置を設置しなければならない。また、上述したように、特許文献１に示す決済システムにおいては、施設毎に自施設内のイントラネットに決済装置を設ける必要があるため、各電子マネー端末装置における設定情報（例えば、価格情報等）を、各施設がそれぞれ個別に管理しなければならない。
【０００５】
本発明は、このような事情に鑑みてなされたもので、その目的は、決済システムの導入コストおよび運用コストを抑制することができる決済システム、決済端末、および決済方法を提供することにある。
【課題を解決するための手段】
【０００６】
上述した課題を解決するため、本発明の一態様は、インターネットに接続される決済サーバと管理対象装置を管理する管理端末とを備え、前記決済サーバは、前記管理対象装置に接続される少なくとも１つの決済端末が設けられる施設を識別する施設識別情報と、前記決済端末を識別する決済端末識別情報と、前記施設において利用可能な決済サービスを識別する決済サービス識別情報とが対応づけられた施設情報と、決済端末において行なわれる決済に関する情報である決済端末決済情報と前記決済端末の決済端末識別情報とが対応づけられた決済情報と、前記決済端末における設定内容または前記管理対象装置における設定内容のうち少なくとも一方である設定情報と、を記憶する記憶部と、を有し、前記管理端末は、前記決済サーバから取得した前記設定情報に基づいて、前記決済端末または前記管理対象装置のうち少なくとも一方の設定管理を実行する管理実行部を有する決済システムである。
【０００７】
また、本発明の一態様は、上記の決済システムであって、前記管理端末は、前記管理対象装置の設定情報の更新を要求する設定更新要求情報を生成し、前記設定更新要求情報を前記決済サーバに送信する設定更新要求部、を備え、前記決済サーバは、前記設定更新要求情報に基づいて前記記憶部に記憶された前記設定情報を更新する更新部を備える。
【０００８】
また、本発明の一態様は、決済用媒体を識別する決済用媒体識別情報を前記決済用媒体から読み出し、決済金額に基づく金額情報を前記決済用媒体へ書き込む決済用媒体ＲＷ部と、前記決済金額を示す信号を管理対象装置へ送信する信号送信部と、インターネットに接続される決済サーバから、自身の決済端末に対応した設定情報を受信した場合に設定情報を自身の記憶部に記憶させ、前記決済用媒体ＲＷ部による決済用媒体への書き込みを行なう場合に前記決済サーバに対して前記決済金額に基づく金額情報と決済端末を識別する決済端末識別情報を含む決済端末決済情報を送信する通信部と、を備える決済端末である。
【０００９】
また、本発明の一態様は、インターネットに接続される決済サーバのコンピュータと管理対象装置を管理する管理端末のコンピュータとによる決済方法であって、決済サーバの記憶部が、管理対象装置に接続される少なくとも１つの決済端末が設けられる施設を識別する施設識別情報と、前記決済端末を識別する決済端末識別情報と、前記施設において利用可能な決済サービスを識別する決済サービス識別情報とが対応づけられた施設情報と、決済端末において行なわれる決済に関する情報である決済端末決済情報と前記決済端末の決済端末識別情報とが対応づけられた決済情報と、前記決済端末における設定内容または前記管理対象装置における設定内容のうち少なくとも一方である設定情報と、を記憶する記憶ステップと、前記管理端末の管理実行部が、前記決済サーバから取得した前記設定情報に基づいて、前記決済端末または前記管理対象装置のうち少なくとも一方の設定管理を実行する管理ステップと、を有する決済方法である。
【発明の効果】
【００１０】
以上説明したように、この発明によれば、複数の施設における決済処理を行う決済装置をインターネット上に設けることにより決済システムの導入コストを抑制するとともに、各電子マネー端末装置における設定情報（例えば、価格情報等）を当該決済装置によって管理することにより決済システムの運用コストを抑制することができる。
【図面の簡単な説明】
【００１１】
【図１】この発明の第１の実施形態による決済システムの構成を示す概略ブロック図である。
【図２】この発明の第１の実施形態による決済システムの決済サーバの機能構成を示すブロック図である。
【図３】この発明の第１の実施形態による決済システムの決済端末の機能構成を示すブロック図である。
【図４】この発明の第１の実施形態による決済システムの決済サーバの記憶部に記憶される施設情報のテーブルの一例を示す図である。
【図５】この発明の第１の実施形態による決済システムの決済サーバの記憶部に記憶される決済情報のテーブルの一例を示す図である。
【図６】この発明の第１の実施形態による決済システムの動作の一例を示すシーケンス図である。
【図７】この発明の第２の実施形態による決済システムの管理端末の機能構成を示すブロック図である。
【図８】この発明の第２の実施形態による決済システムの決済サーバの記憶部に記憶される設定情報のテーブルの一例を示す図である。
【発明を実施するための形態】
【００１２】
＜第１の実施形態＞
以下、本発明の第１の実施形態による決済システム１について図面を参照して説明する。
【００１３】
［決済システムの構成］
図１は、この発明の第１の実施形態による決済システム１の構成を示す概略ブロック図である。同図に示す決済システム１は、決済サーバ１０と、それぞれに管理対象装置１６（１６Ａ１、１６Ａ２、・・・１６Ａｎ、１６Ｂ１、・・・１６Ｂｎ）が接続された決済端末１５（１５Ａ１、１５Ａ２、・・・１５Ａｎ、１５Ｂ１、・・・１５Ｂｎ）と、管理端末１７と、ブランドサーバ３０（３０ａ、３０ｂ）と、を通信ネットワークによって通信接続することで構成されている。当該通信ネットワークは、インターネット４０と、店舗２０（２０Ａ、２０Ｂ）毎に敷設されインターネット４０に通信接続するイントラネット５０（５０Ａ、５０Ｂ）とによって構成されている。インターネット４０には、決済サーバ１０と、管理端末１７と、少なくとも１つのブランドサーバ３０とが通信接続されている。また、イントラネット５０には、当該イントラネット５０が敷設された店舗２０内に設置された少なくとも１つの決済端末１５が通信接続されている。
【００１４】
決済サーバ１０は、決済端末１５から決済の要求を受け付け、決済の処理を行う。また、決済サーバ１０は、行った決済を示す決済情報を生成してログデータとして蓄積しておき、当該ログデータをブランドサーバ３０へ定期的（例えば、１日毎、または１週間毎）に配信する。
決済サーバ１０は、サーバ装置、例えば、汎用コンピュータ、またはパーソナルコンピュータ等を含んで構成される。
【００１５】
決済端末１５は、管理対象装置１６の利用に対してユーザによって支払われる料金の決済を受け付ける端末である。例えば、決済端末１５に備えられた後述する決済用媒体ＲＷ（リーダ・ライタ）部１５２に決済用媒体（例えば、ＩＣカード）が近づけられることによって、決済用媒体から決済用媒体ＲＷ部１５２へ決済用媒体を識別する決済用媒体識別情報が送信されることにより、当該決済の受け付けが行われる。
また、決済端末１５は、決済サーバ１０から定期的に設定情報を取得して設定変更を行う。当該設定情報とは、例えば、決済端末１５や管理対象装置１６において動作するソフトウェアのアップデート情報等の決済システム１全体に関わる情報、あるいは、決済端末１５において用いられるブランド毎の設定情報（例えば、画像情報、音声情報、および接続プロトコルを示す情報等）である。
【００１６】
決済端末１５は、カードリーダー、例えば、非接触型ＩＣカードリーダー等を含んで構成される。また、決済用媒体は、決済用カード、例えば、非接触型ＩＣカード、または、非接触型ＩＣカードの機能を内蔵する携帯型端末（ＰＤＡ）、例えば、スマートフォンや携帯電等である。非接触型ＩＣカードには、例えば、交通系ＩＣカードや、流通系ＩＣカード等が利用可能である。
【００１７】
管理対象装置１６は、決済端末１５によりユーザによって支払われる料金に応じて、ユーザに対してサービスを提供する装置である。
管理対象装置１６は、例えば、ゲーム機、カプセルトイの販売機器、自動販売機や自動券売機、コインロッカーの精算機、または駐輪場や駐車場における精算機である。
【００１８】
なお、提供されるサービスが予め決まっている管理対象装置１６においては、当該サービス提供を受ける数量（例えば、回数や時間など）を、ユーザは事前に選択することができる。例えば、サービス提供の数量が回数や時間で決まる場合には、ユーザは、その数量に応じた金額を、サービス提供を受ける前に金額を指定した上で決済を行なうことができる。管理対象装置１６がゲーム機である場合には、例えば、ユーザは、３ゲーム分の金額である２００円を選択して事前に決済することができる。
また、利用時間に応じて金額が計算される場合には、ユーザは、サービス提供を受けた後に、利用時間に応じて算出された料金を確認した上で決済を行なうことができる。
【００１９】
管理端末１７は、決済端末１５において決済が行われる際に、決済端末１５の後述する表示部１５４によって表示させるブランド（決済サービス）毎の画像を示す画像情報、および決済端末１５の後述する音声出力部１５５によって再生させるブランド毎の音声を示す音声データ等と、ブランドとを対応付けて管理する。また、管理端末１７は、決済端末１５において決済が行われる際に用いられる決済端末１５側のブランド毎の接続プロトコル（インターフェース）を示す情報等と、ブランドとを対応付けて管理する。
【００２０】
例えば、管理端末１７から、決済サーバ１０に対し、決済端末１５において用いられる上述したブランド毎の設定情報（例えば、画像情報、音声情報、および接続プロトコルを示す情報等）を送信し、当該設定情報が決済サーバ１０において記憶される。
そして、決済端末１５は、当該設定情報が更新されているか否かについて、定期的（例えば、１日毎、または１週間毎等）に、決済サーバ１０に対して問い合わせを行う。
当該設定情報が更新されていた場合、決済端末１５は、当該設定情報を決済サーバ１０からダウンロードし、自らの決済端末１５が記憶している設定情報を更新する。
なお、上記のブランド毎の設定情報は、ブランド特有の決済環境（例えば、表示画面や接続プロトコル等）を構成するソフトウェア部品の設定に関する設定情報であり、ブランド特有の設定情報である。
【００２１】
店舗２０は、決済端末１５および管理対象装置１６が設置された店舗（施設）である。店舗２０は、例えば、ゲームセンター、小売店、交通機関の各駅、または駐輪場や駐車場等である。ここで、店舗２０は、商品の販売やサービスの提供を目的とした建物に限られるものではなく、少なくとも商品の販売やサービスの提供が可能な施設であればよい。例えば、複数店舗が収容された複合商業施設やテーマパークなどの施設であってもよい。
なお、ここで言う「施設」とは、法人毎に統括される施設であってもよいし、各地域の支店毎に統括される施設、または建物毎に統括される施設であってもよく、施設が統括される単位や、施設の規模等は任意である。
【００２２】
ブランドサーバ３０は、定期的（例えば、１日毎、または１週間毎）に決済サーバ１０から送信された決済情報を取得する。ブランドサーバ３０は、各ブランド（決済サービス）を運営する企業によって管理されるサーバ装置である。ブランドとは、例えば、流通系企業や鉄道系企業によって運営されるプリペイド型電子マネーのブランド、クレジット系企業によって運営されるポストペイ型電子マネーのブランド、または、インターネット決済専用のプリペイド型電子マネーのブランド等である。
【００２３】
なお、決済端末１５によって決済可能なブランドは、当該決済端末１５が設置された店舗２０によって異なる。各店舗２０では、自らの店舗２０に設置された決済端末１５によって決済可能なブランドが予め定められている。ユーザは、当該ブランドの決済用媒体を使用して決済を行うことができる。
なお、原則的に、同一の店舗２０内に設置された決済端末１５においては、決済可能なブランドは共通である。したがって、決済端末１５が設置された店舗２０が特定されれば、決済端末１５によって決済可能なブランドも特定することができる。
【００２４】
［決済サーバの構成］
次に、決済サーバ１０の機能構成について図面を参照して説明する。
図２は、この発明の第１の実施形態による決済システム１決済サーバ１０の機能構成を示すブロック図である。同図に示す決済サーバ１０は、記憶部１０１と、決済処理部１０２と、通信部１０３と、を含んで構成される。
なお、この決済サーバ１０は、１台のサーバ装置から構成されていてもよいし、クラウド上に構成されたサーバであってもよい。
【００２５】
記憶部１０１は、施設情報と、決済情報と、を記憶する。
施設情報は、管理対象装置１６に接続される少なくとも１つの決済端末１５が設けられる店舗２０（施設）毎に、当該店舗２０を識別する施設識別情報と、前記決済端末１５を識別する決済端末識別情報と、前記店舗２０において利用可能なブランド（決済サービス）を識別する決済サービス識別情報とが対応づけられた情報である。
また、決済情報は、決済端末１５において行なわれる決済に関する情報である決済端末決済情報と、前記決済端末１５の決済端末識別情報とが対応づけられた情報である。
【００２６】
また、記憶部１０１は、決済端末１５において決済が行われる際に、決済端末１５の後述する表示部１５４によって表示させるブランド毎の画像を示す画像情報、および決済端末１５の後述する音声出力部１５５によって再生させるブランド毎の音声を示す音声データ等と、ブランドとが対応付けられたテーブルを予め管理端末１７から送信されて記記憶している。
また、記憶部１０１は、決済端末１５において決済が行われる際に用いられる決済端末１５側のブランド毎の接続プロトコル（インターフェース）を識別する情報等と、ブランドとが対応付けられたテーブルを予め管理端末１７から送信されて記憶している。
【００２７】
記憶部１０１は、記憶媒体、例えば、ＨＤＤ（Hard Disk Drive；ハードディスクドライブ）、フラッシュメモリ、ＥＥＰＲＯＭ（Electrically Erasable Programmable Read Only Memory；イーイーピーロム）、ＲＡＭ（Random Access read/write Memory；読み書き可能なメモリ）、ＲＯＭ（Read Only Memory；読み出し専用メモリ）、またはこれらの記憶媒体の任意の組み合わせによって構成される。
【００２８】
決済処理部１０２は、前記決済端末１５から決済の要求を受けると、前記記憶部１０１を参照し、前記決済端末１５から送信される決済端末識別情報に基づいて、前記決済端末１５が設けられた店舗２０を特定し、特定された店舗２０において利用可能なブランドを特定し、特定されたブランドのうち対応可能なブランドによって、前記決済の要求に対応した決済の処理を行う。
決済処理部１０２は、例えば、ＣＰＵ（Central Processing Unit；中央演算処理装置）を含んで構成される。
【００２９】
通信部１０３は、インターネット４０と通信接続する通信インターフェースである。
通信部１０３は、インターネット４０を介して、決済サーバ１０とブランドサーバ３０との間におけるデータの送受信を行う。また、通信部１０３は、インターネット４０およびイントラネット５０を介して、上述した接続プロトコル（インターフェース）によって、決済サーバ１０と決済端末１５との間におけるデータの送受信を行う。
【００３０】
［決済端末の構成］
次に、決済端末１５および管理対象装置１６の機能構成について図面を参照して説明する。
図３は、この発明の一実施形態による決済システム１の決済端末１５の機能構成を示すブロック図である。同図に示す決済端末１５は、制御部１５０と、記憶部１５１と、決済用媒体ＲＷ（リーダ・ライタ）部１５２と、照明部１５３と、表示部１５４と、音声出力部１５５と、通信部１５６と、パルス送信部１５７と、を含んで構成される。
【００３１】
制御部１５０は、決済端末１５の各機能ブロックによって行われる処理を制御する。制御部１５０は、例えば、ＣＰＵ（Central Processing Unit；中央演算処理装置）を含んで構成される。制御部１５０は、決済サーバ１０に対し、決済端末決済情報に含まれる決済端末識別情報に基づいて、自身の決済端末１５が設けられた施設を特定させ、特定された施設において利用可能な決済サービスを特定させ、特定された決済サービスのうち対応可能な決済サービスによって、決済の要求に対応した決済を行なわせる指示をする。
【００３２】
記憶部１５１は、決済端末１５によって決済可能なブランドに関するブランド情報、および決済が行われる際に用いられる決済端末１５側のブランド毎の接続プロトコル（インターフェース）等を予め管理端末１７から送信されて記憶している。
記憶部１５１は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。
【００３３】
決済用媒体ＲＷ部１５２は、決済用媒体（例えば、ＩＣカード）からの決済情報の読み出し、および決済用媒体への決済情報の書き込みを行う。
【００３４】
照明部１５３、表示部１５４、および音声出力部１５５は、決済端末１５を利用するユーザに対して、照明、画像、および音声により通知や警告等を行うためのユーザインタフェースである。
照明部１５３は、例えば、ＬＥＤ（Light Emitting Diode；発光ダイオード）、白熱電球、または蛍光灯等を含んで構成される。表示部１５４は、ディスプレイ、例えば、ＬＣＤ（Liquid Crystal Display；液晶ディスプレイ）、または有機ＥＬ（エレクトロルミネッセンス）ディスプレイを含んで構成される。音声出力部１５５は、スピーカーを含んで構成される。
【００３５】
通信部１５６は、イントラネット５０およびインターネット４０を介して、決済サーバ１０、および管理端末１７との通信を行う。
【００３６】
パルス送信部１５７は、行われた決済の金額に応じたパルス信号を発生し、当該パルス信号を管理対象装置１６へ送信する。例えば、当該パルス信号は、管理対象装置１６において上記と同じ金額の硬貨（現金）が投入された際に管理対象装置１６に入力されるパルス信号と同一のパルス信号である。これにより、管理対象装置１６は、電子マネーによる支払いであっても、現金による支払いであっても、金額が同じ場合には同様の処理を行うことができる。
【００３７】
［施設情報の構成］
次に、上述した施設情報の構成について図面を参照して説明する。
図４は、この発明の第１の実施形態による決済システム１の決済サーバ１０の記憶部１０１に記憶される施設情報のテーブルの一例を示す図である。
【００３８】
施設情報は、図３（Ａ）に示すテーブルと図４（Ｂ）に示すテーブルとによって構成される。図４（Ａ）に示すテーブルは、決済端末１５を識別する決済端末ＩＤと、店舗２０を識別するである店舗ＩＤとが対応付けられたデータである。また、図４（Ｂ）に示すテーブルは、店舗ＩＤと、各店舗において利用可能なブランドを識別するブランドＩＤとが対応付けられたデータである。このように、施設情報は、これらの２つのテーブルによって、店舗ＩＤ（施設識別情報）と、決済端末ＩＤ（決済端末識別情報）と、ブランドＩＤ（決済サービス識別情報）とを対応づけたデータである。
施設情報は、決済サーバの管理者等によって予め記憶部１０１に記憶されている。
【００３９】
［決済情報の構成］
次に、上述した決済情報の構成について図面を参照して説明する。
図５は、この発明の第１の実施形態による決済システム１の決済サーバ１０の記憶部１０１に記憶される決済情報のテーブルの一例を示す図である。
【００４０】
決済情報は、図５に示すテーブルによって構成される。図５に示すテーブルは、決済端末ＩＤと、決済端末決済情報とが対応付けられたデータである。当該決済端末決済情報には、決済金額と、日時と、媒体種別と、媒体ＩＤとを示すデータが含まれる。
決済情報は、決済端末１５が決済サーバ１０に対して決済を要求する際に決済端末１５から決済サーバ１０へ送信される、当該決済端末１５の決済端末ＩＤと決済端末決済情報とに基づいて決済サーバ１０によって生成され、記憶部１０１に記憶される。
【００４１】
［決済システムの動作］
次に、決済システム１の動作について図面を参照して説明する。
図６は、この発明の第１の実施形態による決済システム１の動作の一例を示すシーケンス図である。
【００４２】
（ステップＳ００１）決済端末１５の決済用媒体ＲＷ部１５２にはユーザが支払う金額を選択する画面が表示されており、ユーザは当該画面において金額を表すボタンにタッチすることで選択する。そして、ユーザにより決済用媒体ＲＷ部１５２に決済用媒体が通信可能な距離内に近づけられる（例えば、翳される）と、決済用媒体から決済用媒体ＲＷ部１５２へ、当該決済用媒体の媒体種別を示す情報、および当該決済用媒体を識別する媒体ＩＤ（決済用媒体識別情報）が送信される。なお、媒体種別を示す情報には、当該決済用媒体のブランドを示す情報が含まれる。
【００４３】
また、当該決済端末１５に接続された管理対象装置１６の利用料金（決済金額）を示す情報が、決済用媒体ＲＷ部１５２から決済用媒体へ送信される。決済用媒体は、受信した当該利用料金を示す情報に基づいて、自らの決済用媒体に記憶されている金額に関する情報を更新する。例えば、決済用媒体は、自ら記憶している、チャージされている金額を示す情報を読み出し、当該情報を、当該チャージされている金額から決済金額分を差し引いた金額を示す情報によって更新する。
決済端末１５は、決済金額、決済用媒体が近づけられた日時、媒体種別を示す情報、媒体ＩＤに基づいて決済端末決済情報を生成する。
【００４４】
（ステップＳ００２）決済端末１５は、決済の要求を示す情報とともに、自らの決済端末１５を識別する決済端末ＩＤ、および生成した決済端末決済情報を、決済サーバ１０の通信部１０３へ送信する。
【００４５】
（ステップＳ００３）決済サーバ１０の通信部１０３は、決済端末１５から送信された決済の要求を示す情報、決済端末ＩＤ、および決済端末決済情報を受信する。決済サーバ１０の決済処理部１０２は、受信した決済端末ＩＤおよび決済端末決済情報に基づいて、記憶部１０１に記憶されている決済情報を更新する。
【００４６】
（ステップＳ００４）決済サーバ１０の決済処理部１０２は、記憶部１０１に記憶されている施設情報（例えば、図４（Ａ）に示すテーブル）を参照し、決済端末１５から送信された決済端末ＩＤ（決済端末識別情報）に基づいて、決済端末１５が設けられた店舗２０（施設）を特定する。
【００４７】
（ステップＳ００５）決済サーバ１０の決済処理部１０２は、記憶部１０１に記憶されている施設情報（例えば、図４（Ｂ）に示すテーブル）を参照し、ステップＳ００４で特定した店舗２０（施設）において利用可能なブランド（決済サービス）を特定する。
【００４８】
（ステップＳ００６）決済サーバ１０の決済処理部１０２は、ステップＳ００５で特定したブランド（決済サービス）のうち対応可能なブランドによって、ステップＳ００３で受信した情報に基づく決済の要求に対応した決済の処理を行なう。ここでは、店舗２０において対応可能なブランドのうち、どのブランドで決済を行うかについては、決済端末１５から送信される決済端末決済情報に含まれる媒体種別に基づいて当該決済端末１５に翳された決済用媒体のブランドが特定され、この特定されたブランドによって決済が行われる。
【００４９】
（ステップＳ００７）決済サーバ１０の通信部１０３は、決済処理が完了したことを示す決済完了通知を決済端末１５へ送信する。
【００５０】
（ステップＳ００８）決済端末１５は、決済サーバ１０の通信部１０３から送信された決済完了通知を受信すると、管理対象装置１６へ当該決済完了通知を送信する。
【００５１】
（ステップＳ００９）管理対象装置１６は、決済端末１５から送信された決済完了通知を受信すると、ユーザに対してサービスを提供する（例えば、ゲーム機がユーザによって利用可能な状態に切り替わる）。
【００５２】
＜第２の実施形態＞
以下、本発明の第２の実施形態による決済システム１について図面を参照して説明する。
なお、第１の実施形態と構成が共通している範囲については説明を省略する。
【００５３】
［管理端末の構成］
以下に、管理端末１７の機能構成について図面を参照して説明する。
図７は、この発明の第２の実施形態による決済システム１の管理端末１７の機能構成を示すブロック図である。同図に示す管理端末１７は、管理実行部１７１と、設定更新要求部１７２と、通信部１７３と、を含んで構成される。
【００５４】
管理実行部１７１は、ユーザ（例えば、いずれかの店舗２０の施設管理者）による操作入力に基づいて設定情報を生成する。当該設定情報は、決済端末１５および管理対象装置１６の設定（例えば、管理対象装置１６の利用料金に関する設定等）に関する情報や、ブランド毎の設定情報（例えば、画像情報、音声情報、および接続プロトコルを示す情報等）である。設定情報の構成の一例については、後述する。
【００５５】
設定更新要求部１７２は、生成された設定情報を、通信部１７３を介して決済サーバ１０へ送信する。
【００５６】
通信部１７３は、インターネット４０と通信接続する通信インターフェースである。
通信部１７３は、インターネット４０を介して、管理端末１７と決済サーバ１０との間におけるデータの送受信を行う。
【００５７】
決済サーバ１０の通信部１０３は、管理端末１７の通信部１７３から送信された設定情報を受信する。そして、決済サーバ１０の決済処理部１０２は、当該設定情報に基づいて記憶部１０１に記憶されている設定情報を更新する。
【００５８】
［設定情報の構成］
次に、上述した設定情報の構成について図面を参照して説明する。
図８は、この発明の第２の実施形態による決済システム１の決済サーバ１０の記憶部１０１に記憶される設定情報のテーブルの一例を示す図である。
【００５９】
設定情報は、図８に示すテーブルによって構成される。図８に示すテーブルは、決済端末ＩＤと、管理対象装置１６における料金情報とが対応付けられたデータである。当該料金情報には、「料金」と、「セット割引の有無」と、「セット個数」と、「セット料金」とを示すデータが含まれる。
記憶部１０１に記憶された設定情報は、管理端末１７から決済サーバ１０へ送信される設定情報に基づいて更新される。なお、当該設定情報は、管理端末１７においてユーザ（例えば、店舗２０の施設管理者）による操作に基づいて生成される。
【００６０】
管理端末１７は、決済端末１５に対応付けられた設定情報（決済端末１５における設定情報および当該決済端末１５に接続された管理対象装置１６における設定情報、例えば、管理対象装置１６の利用料金に関する設定に関する設定情報）を管理する。
例えば、管理端末１７は、当該設定情報を決済サーバ１０へ送信し、当該設定情報が決済サーバ１０において記憶される。
そして、決済端末１５は、当該設定情報が更新されているか否かについて、定期的（例えば、１日毎、または１週間毎等）に、決済サーバ１０に対して問い合わせを行う。
当該設定情報が更新されていた場合、決済端末１５は、当該設定情報を決済サーバ１０からダウンロードし、自らの決済端末１５が記憶している設定情報を更新する。
【００６１】
なお、設定情報として、料金のルールを設定するようにし、決済サーバが、その料金ルールに基づいて、その条件に合致している料金を適宜設定するようにしてもよい。例えば、特定の曜日には、予め決められた決済端末ＩＤにおける料金を、割引率に従った割引価格を適用して決済したり、特定の時間帯において割引価格を適用して決済するような条件と価格とが対応付けられた料金ルールを管理端末１７から設定したりしてもよい。
【００６２】
以上、説明したように、本発明の第１の実施形態に係る決済システム１によれば、インターネットに決済サーバ１０が通信接続されるため、複数の店舗２０（施設）における決済の処理を１つの決済サーバ１０によって行うことができる。これにより、各店舗２０は、決済サーバ１０を自施設内に設ける必要がないため、従来のように施設毎に自施設内のイントラネットに決済サーバを設ける場合と比べて、決済システムの導入にかかるコストが増大してしまうことを抑制することができる。
【００６３】
また、以上、説明したように、本発明の第１の実施形態に係る決済システムによれば、インターネットに決済サーバ１０が通信接続されるため、店舗２０（施設）、決済端末１５、および管理対象装置１６、更に決済端末１５または管理対象装置１６における設定情報等を紐付けて管理することができる。また、本発明の一実施形態に係る決済システムによれば、店舗２０（施設）における設定情報と管理対象装置１６における設定情報とを紐付けて管理することができることにより、電子マネーの決済に関する情報と管理対象装置１６における設定情報とを合わせて管理することができる。
また、本発明の第１の実施形態に係る決済システムによれば、決済端末毎ではなく施設毎に利用可能なブランドを統括して管理し、さらに決済装置毎でなく施設毎に利用可能なブランドの種類を統一して運用するため、決済システムの運用にかかるコストが増大してしまうことを抑制することができる。
【００６４】
また、本発明の第２の実施形態に係る決済システム１によれば、インターネットに決済サーバ１０が通信接続されるため、複数の店舗２０（施設）における決済端末１５または管理対象装置１６の設定情報を１つの決済サーバ１０によって管理することができる。これにより、従来のように施設毎に自施設内のイントラネットに決済サーバを設ける場合と比べて、決済システムの導入にかかるコストを抑制することができる。
【００６５】
また、本発明の第２の実施形態に係る決済システム１によれば、管理者、例えば、店舗２０（施設）の施設管理者が、通信ネットワークを介して決済サーバ１０から決済端末１５または管理対象装置１６の設定情報を取得し、当該設定情報に基づいて決済端末１５または管理対象装置１６の設定変更等を行うことができるため、決済システムの運用にかかるコストを抑制することができる。
【００６６】
また、本発明の第２の実施形態に係る決済システム１によれば、電子マネーによって決済が行われることにより、１０円硬貨、５０円硬貨、または１００円硬貨等をコイン投入装置に投入して支払いをする場合と比べて、投入される硬貨の枚数や組み合わせを考慮して金額を設定する（例えば、１００円硬貨２枚で２００円と設定する）必要がないため、柔軟に金額を設定することができる。
【００６７】
また、コイン投入装置を利用して料金の支払いが行われる場合、設定金額の変更がなされる際には、コイン投入装置の設定を物理的に変更する必要が生じる。一方、本発明の第２の実施形態に係る決済システム１によれば、電子マネーを利用して決済がなされることを前提としているため、管理端末１７から設定変更の要求に基づいて、硬貨の枚数や組み合わせに縛られない任意の価格を柔軟に設定することができる。
また、本発明の第２の実施形態に係る決済システム１によれば、設定金額を頻繁に変更する必要がある場合であっても、管理端末１２から設定金額をサーバに登録（更新）するだけですむため、比較的短い期間で金額を変更することが可能となる。
【００６８】
上述した実施形態における決済サーバ１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６９】
以上、この発明の実施形態について図面を参照して詳述してきたが、具体的な構成はこの実施形態に限られるものではなく、この発明の要旨を逸脱しない範囲の設計等も含まれる。
【符号の説明】
【００７０】
１・・・決済システム、１０・・・決済サーバ、１５・・・決済端末、１６・・・管理対象装置、１７・・・管理端末、２０・・・店舗、３０・・・ブランドサーバ、４０・・・インターネット、５０・・・イントラネット、１０１・・・記憶部、１０２・・・決済処理部、１０３・・・通信部、１５０・・・制御部、１５１・・・記憶部、１５２・・・決済用媒体ＲＷ部、１５３・・・照明部、１５４・・・表示部、１５５・・・音声出力部、１５６・・・通信部、１５７・・・パルス送信部
【図１】
2018169908.tif 000003
【図２】
2018169908.tif 000004
【図３】
2018169908.tif 000005
【図４】
2018169908.tif 000006
【図５】
2018169908.tif 000007
【図６】
2018169908.tif 000008
【図７】
2018169908.tif 000009
【図８】
2018169908.tif 000010